(57)【特許請求の範囲】
【請求項１】
多数本のブリスルが表面から突出しているブリスル台を有しているブラシがヘアードライヤー本体の送風口に連結されているとともに、上記ブラシのブリスル台に形成されている吐出口を通じてヘアードライヤー本体からの風あるいはスチームを吹き出すブラシ付きヘアードライヤーであり、上記ブラシのブリスル台は筒状で且つ軸方向である長手方向中程が外側へと膨らんで長手方向断面の外形線が凸曲線をなしているとともに、長手方向断面の外形線がなす曲線の曲率が可変であり、更にブラシの長手方向に走る複数本の切り溝が周方向において間隔をおいて設けられて、該切り溝で上記吐出口が形成されていることを特徴とするブラシ付きヘアードライヤー。
【請求項２】
上記切り溝で形成された吐出口はブラシの長手方向中央においてその開口幅が最大となっていることを特徴とする請求項１記載のブラシ付きヘアードライヤー。
【請求項３】
ブリスル台の内部にブラシの両端部をつなぐ筒状部材が配されているとともに、ヘアードライヤー本体からの風あるいはスチームが送り込まれる内周側とブリスル台が外周に位置する外面側とを連通させて上記風を吐出口に向かわせる開口を上記筒状部材が備えていることを特徴とする請求項１または２記載のブラシ付きヘアードライヤー。
【請求項４】
ブリスル台の内部には風向調節用のフィンが設けられていることを特徴とする請求項１または２記載のブラシ付きヘアードライヤー。
【請求項５】
ブリスル台における吐出口はブリスル台の長手方向断面の外形線がなす曲線の曲率が大きくなるにつれて開口面積を大きくするものであることを特徴とする請求項１記載のブラシ付きヘアードライヤー。
【請求項６】
ブリスル台内部にブリスル台の径を変化させて長手方向断面の外形線がなす曲線の曲率を変化させる径調節部材が配設されていることを特徴とする請求項１または５記載のブラシ付きヘアードライヤー。
【請求項７】
径調節部材はブリスル台に接する一端を作用点とし、他端を支点もしくは操作入力が加えられる力点の一方とし、中程を支点もしくは力点の他方としている部材であることを特徴とする請求項６記載のブラシ付きヘアードライヤー。
【請求項８】
径調節部材に操作入力を加える操作部がブラシの軸方向端部に設けられていることを特徴とする請求項６または７記載のブラシ付きヘアードライヤー。
【請求項９】
径調節部材に操作入力を加える操作部が軸回りに回転自在な回転部材であり、該回転部材と径調節部材との間に運動変換部材が介在していることを特徴とする請求項７または８記載のブラシ付きヘアードライヤー。
【請求項１０】
操作部の回転位置を規制するロック手段を備えていることを特徴とする請求項９記載のブラシ付きヘアードライヤー。
【請求項１１】
ロック手段は操作部に加わる回転力の大きさに応じてロックを解除するものであることを特徴とする請求項１０記載のブラシ付きヘアードライヤー。
【発明の詳細な説明】
【０００１】
【発明の属する技術分野】
本発明はヘアードライヤー本体の送風口にブラシを連結しているブラシ付きヘアードライヤーに関するものである。
【０００２】
【従来の技術】
ヘアードライヤーの送風口にブラシが連結されているブラシ付きヘアードライヤーでは、そのブラシは、径が一定の円筒状に形成されたブリスル台の外面から多数本のブリスルを突出させたものとして形成されるとともに、上記送風口からブリスル台の内部に送られる風やスチームをブリスル台に形成した吐出口から吐出させるものであり、ブラシの外周面に巻き付けた毛髪にヘアードライヤーの温風を吹き付けたりスチームによる加湿とその後の乾燥などを行うことによって、毛髪にカール付けを行う。
【０００３】
【発明が解決しようとする課題】
しかし、ヘアードライヤーの送風口からの吐出方向は、ブリスル台の長手方向（軸方向）と同じであり、ブリスル台に設けた吐出口からの吐出方向は上記方向と直交しているために、ブリスル台に設けた吐出口から吐出される風やスチームは、ブラシの先端部付近に集中してしまい、ブラシの中央部に巻き付けた毛髪に当たりにくく、セット性が悪かった。
【０００４】
本発明はこのような点に鑑み為されたものであり、その目的とするところはセット性を高めたブラシ付きヘアードライヤーを提供するにある。
【０００５】
【課題を解決するための手段】
しかして本発明は、多数本のブリスルが表面から突出しているブリスル台を有しているブラシがヘアードライヤー本体の送風口に連結されているとともに、上記ブラシのブリスル台に形成されている吐出口を通じてヘアードライヤー本体からの風あるいはスチームを吹き出すブラシ付きヘアードライヤーであり、上記ブラシのブリスル台は筒状で且つ軸方向である長手方向中程が外側へと膨らんで長手方向断面の外形線が凸曲線をなしているとともに、長手方向断面の外形線がなす曲線の曲率が可変であり、更にブラシの長手方向に走る複数本の切り溝が周方向において間隔をおいて設けられて、該切り溝で上記吐出口が形成されていることに特徴を有している。温風やスチームはブリスル台内面に沿って流れてブラシ中央部に導かれて吐出されるものである。また、ブリスル台の長手方向断面の外形線がなす曲線の曲率が可変であるために、頭部形状の個人差や髪形等に合わせた曲率の曲線をなすものとすることができて、毛髪のカール付けを好みや頭の形状に合わせたものとすることができる。
【０００６】
しかもブリスル台は筒状で且つ長手方向断面の外形線が凸曲線をなしている形状であるとはいえ、長手方向に走る複数本の切り溝が周方向において間隔をおいて設けられたものであるから、円筒状のブリスル台を長手方向に撓ませるだけで、長手方向中程が外側へと膨らんで長手方向断面の外形線が凸曲線をなしているものを得ることができる。また、上記切り溝で形成された吐出口はブラシの長手方向中央においてその開口幅が最大となっているものが好ましい。
【０００７】
ブリスル台の内部にブラシの両端部をつなぐ筒状部材を配しておくとともに、ヘアードライヤー本体からの風あるいはスチームが送り込まれる内周側とブリスル台が外周に位置する外面側とを連通させて上記風を吐出口に向かわせる開口を上記筒状部材に設けたり、ブリスル台の内部に風向調節用のフィンを設けて、風やスチームの流れの向きを変更するようにしてもよい。
【０００８】
またブリスル台における吐出口はブリスル台の長手方向断面の外形線がなす曲線の曲率が大きくなるにつれて開口面積を大きくするものであってもよい。
【０００９】
ブリスル台内部に配設されてブリスル台の径を変化させる径調節部材によってブリスル台の長手方向断面の外形線がなす曲線の曲率を変化させてもよく、この場合は、ブリスル台として長手方向両端部が固定されるとともに伸縮性を有するものを好適に用いることができる。
上記の径調節部材としては、ブリスル台に接する一端を作用点とし、他端を支点もしくは操作入力が加えられる力点の一方とし、中程を支点もしくは力点の他方としている部材を好適に用いることができ、また径調節部材に操作入力を加える操作部は軸方向の端部に設けておくことが好ましい。
【００１０】
さらに径調節部材に操作入力を加える操作部が軸回りに回転自在な回転部材であり、該回転部材と径調節部材との間に運動変換部材が介在しているものや、操作部の回転位置を規制するロック手段を備えたもの、該ロック手段が操作部に加わる回転力の大きさに応じてロックを解除するものを特に好適に用いることができる。
【００１１】
【発明の実施の形態】
本発明の実施の形態の一例について説明すると、このヘアードライヤーは、図１及び図２に示すように、温風送風装置やスチーム発生装置を内蔵するヘアードライヤー本体９と、このヘアードライヤー本体９の送風口の部分に着脱自在に装着されるブラシ１とからなるもので、ここにおけるブラシ１は、外面から多数本のブリスル２０を突出させている中空筒状のブリスル台２と、このブリスル台２の軸方向両端に位置する一対のブラシ台３，４とから形成されている。
【００１２】
ブラシ台３，４はブリスル台２の中心部を貫通している筒３４によって連結されたもので、内部空間が通風路３９となっている筒３４には複数の通風口３１が形成されている。
外面からブリスル２０を突出させているブリスル台２はポリエステルエラストマーあるいはポリプロピレン等のばね弾性を有する材質からなるもので、軸方向中央部が外側に膨らんだ筒状となっている該ブリスル台２は、その軸方向両端に上記ブラシ台３，４に引掛係止される係止部２１を備えている。またその表面にはブリスル２０の列間に開口する多数の吐出口２４を備えている。
【００１３】
このブラシ１は、そのブラシ台３をヘアードライヤー本体９の送風口の部分に被せることでヘアードライヤー本体９に装着され、ヘアードライヤー本体９から吐出される風やスチームは、筒３４内の通風路３９から筒３４に設けた開口３１を経て筒３４の外面とブリスル台２内面との間の空間に入り、ブリスル台２に形成した吐出口２４から外部に吐出される。この時、ブラシ１の先端部から吐出される風やスチームの量よりも、ブラシ１の長手方向中央部から吐出される風やスチームの量が多くなる。従ってブラシ１の長手方向中央部に毛髪を巻き付けてヘアセットを行うにあたり、高いセット性を得ることができる。また、筒３４に設けた開口３１の位置を変えることで、ブラシ１の各部からの風やスチームの吐出量を変えることもできる。また、図２に示すように、ブラシ台３にブリスル台２の外面へと風やスチームを流す吐出口２４’を設けておいてもよい。さらに図３に示すように、ブラシ１の長手方向中央部は円筒状であっても、両端部の断面の外形線が凸曲線を描くものであればよい。
【００１４】
図４に示すものは、ブラシ台３から突設されて先端にブラシ台４が取り付けられるとともに、筒状のブリスル台２の中心を貫通している軸３８の外周面に風向調節用のフィン６を設けたものであり、該フィン６は、ヘアードライヤーから送られてくるとともにブラシ１の先端に向かおうとする風やスチームの向きを変えて、ブリスル台２の吐出口２４から吐出させる。またブリスル台２の内面にはブリスル台２に求められるばね弾性と強度とを付与するための補強板２５を設けている。図示例の補強板２５はブリスル台２に一体成形で取り付けているが、これに限るものではない。なお、補強板２５としては合成樹脂製のものや金属製のものを用いることができる。
【００１５】
図５及び図６に他例を示す。ヘアードライヤー本体９の送風口の部分に被せられるブラシ台３は、先端から外筒３０と内筒３２とを突出させたもので、両筒３０，３２の間の空間は通風路３９となっており、また外筒３０には通風口３１が開口している。また、該ブラシ台３は、フック３６が一体に形成された押釦３５を備えており、ばね３７に抗して押釦３５を押し込むことでフック３６を移動させることができるようになっている。
【００１６】
他方のブラシ台４は、ブラシ台３側に向けて突出する筒部４０と該筒部４０の中心に位置するガイド軸４２とを備えたもので、筒部４０には通風口４１と複数個の係合孔４６とを備えている。そしてブラシ台４はその筒部４０がブラシ台３の外筒３０内にスライド自在にはめ込まれるとともに、ガイド軸４２が内筒３２内にスライド自在にはめ込まれることで、ブラシ台３との間隔が可変とされるものであり、また、ブラシ台３のフック３６がいずれかの係合孔４６に係合することによって、上記間隔が固定される。押釦４５を押せば係合孔４６からフック３６が外れて、ブラシ台３に対してブラシ台４が再度スライド自在となる。図中４３はブラシ台３からブラシ台４を離す方向に付勢するばねである。
【００１７】
外面からブリスル２０を突出させているブリスル台２はポリエステルエラストマーあるいはポリプロピレン等の可撓性を有する材質からなるもので、円筒状となっている該ブリスル台２はその軸方向両端に上記ブラシ台３，４に引掛係止される係止部２１を備えている。そして該ブリスル台２は、図５から明らかなように、その軸方向に走る複数本の切り溝２２が周方向において等間隔に設けられており、ブリスル台２を上記ブラシ台３，４の間隔変更によって軸方向に圧縮した時、ブリスル台２は図５(a)に示すように、軸方向中程が外側へと膨むように撓むものであり、この時、上記切り溝２２の部分の間隔が広がる。なお、各切り溝２２はブリスル台２の軸方向両端縁には至っていない。また、切り溝２２の各端部はほぼ円形の孔２３として、ブリスル台２を撓ませた時に切り溝２２の端部に応力が集中しないようにしてある。
【００１８】
このブラシ１においては、上述のようにブラシ台３，４の間隔を変更することによってブリスル台２の中程を外側に膨らませることで、単なる円筒状ではなく、軸方向の断面が円弧状をなすものとすることができるとともに、上記間隔を小さくするほど上記円弧の曲率半径が小さくなるものであり、このために毛髪に内巻きカールを付与するに当たり、頭の周方向の断面形状に合わせた曲率の円弧をなすものとした状態で毛髪を巻き付けることができる。
【００１９】
また、ここで示したブラシ１では、ヘアードライヤー本体９の送風口から吐出される温風やスチームは、通風路３９と通風口４１，３１を通り、ブリスル台２の切り溝２２のところに設けた吐出口２４から吐出されるのであるが、ブリスル台２を膨らませた時には通風口３１，４１の重なりが大きくなる上に、切り溝２２の間隔が広がって、吐出口２４からだけではなく、切り溝２２の部分からも温風やスチームが吐出されることになり、毛髪に温風やスチームが当たる面積が大きくなってセット性が向上するものとなっている。
【００２０】
切り溝２２によってブリスル台２を短手方向に分割することは、ブリスル台２の軸方向断面の曲率を変化させることができないものにおいても有効である。つまり、ブリスル台２を立体的なものではなく、平板状のものとして形成して筒状に巻いたり、円筒状に形成したブリスル台２に切り溝２２を設けておけば、軸方向両端間を圧縮した状態でブラシ台３，４間に配設することで、軸方向断面が所要の凸曲線をなすものを得ることができるからである。また、図７に示すように、切り溝２２を吐出口２４とすることで、別途吐出口２４を設けなくともすむものとなる上に、この吐出口２４は、軸方向の中央部（もっとも外側に膨らんだところ）で開口幅が最大となるために、該中央部からより多くの風やスチームを吐出させる点において好ましいものともなる。
【００２１】
図８は、ヘアーブラシ１の先端面にもブリスル２０を設けるために、ブラシ台４を無くしたものを示しており、ここではブリスル台２の内面にねじ軸４８を固着し、ブラシ台３に設けたナット部３８にねじ軸４８を螺合させている。このものでは、ブラシ台３に対してブリスル台２を回転させることで、ブリスル台２の外形状を変化させることもできる。この場合、ブリスル台２を方向性がないほぼ球形とすることが可能であり、このためにブラッシング方向に対して手の位置や角度を自由に選ぶことができるために、手への負担を小さくしてブラッシングすることができる。
【００２２】
図９〜図１４に他の実施の形態の一例を示す。ここでは外周面に多数本のブリスル２０を備えた円筒状のブリスル台２をシリコンゴムあるいはポリエステルエラストマーあるいは耐熱ゴム等の弾性及び伸縮性を有するものにて形成している。また、ブラシ台３から突設されているとともに通風口３１が形成されている筒３４の先端にはブラシ台４とキャップ６６とが固定されているとともにキャップ６６及びブラシ台４に対して軸回りの回転が自在となった操作リング７が取り付けられている。またブラシ台４には放射状に複数本（図示例では６本）の溝６３が設けられており、さらにブラシ台４のブラシ台３側の端面には支点板６４が取り付けられている。
【００２３】
そして上記の各溝６３にはバー６が配設されている。これらバー６はその一端をブリスル台２の軸方向中程に設けられた受け部６２に位置させており、上記回転リング７に設けられて回転リング７と共に回転するカム板７０に形成されたカム孔７２に他端を位置させている。複数個設けられた円弧状のカム孔７１は、カム板７０の中心から一端側までの距離と他端側までの距離とが異なっており、回転リング７を回すことでカム板７０を回転させる時、上記溝６３によって回転が規制されているバー６はカム孔７１内を移動する。この時、バー６は支点板６４との接触位置を中心に傾きを変えることになり、円筒状で且つ弾性及び伸縮性を有するとともにバー６の一端が接しているブリスル台２は、バー６の傾きに応じてその軸方向断面の外形線の曲率を変化させる。図１２〜図１４は曲率をもっとも大きくした状態を示している。
【００２４】
ここで、バー６における支点板６４に接する点からブリスル台２に接する一端までの距離よりも、支点板６４に接する点からカム板７０に接する他端までの距離の方を小さくしているのは、力点側となるバー６の他端側の少しの移動でブリスル台２の径の変化を大きくすることができるようにしているためであり、また、バー６の他端側をブリスル台２の径方向に移動させることを、回転リング７とカム板７０とを用いて回転リング７の回転操作で行えるようにしているのは、ブラシの軸方向全長を変えることなく操作することができるようにするとともに操作を軽く行えるようにするためである。
【００２５】
なお、回転リング７が不用意に回転しないように、ここでは回転リング７の回転を阻止するロック手段を設けている。図示例におけるロック手段は、キャップ６６の内周面に周方向において複数個設けている凹部６７と、該凹部６７に係合する突起７３を備えたロック釦７２であり、一体に形成されたばね片７４，７４によって回転リング７の外方に突出する方向（突起７３が凹部６７と係合する方向）に付勢されたロック釦７２は、回転リング７と一体に回転するように回転リング７に取り付けられており、凹部６７に突起７２を係合させている状態では、キャップ６６及びブラシ台４に対して回転リング７は回転することがなく、ロック釦７２を押し込んで突起７３を凹部６７から外せば、回転リング７を回転させることができる。図示例では凹部６７を４個設けているために、曲率を４段階で調節することができるものとなっている。
【００２６】
もっとも、上記ロック手段はロック時においても回転リング７の回転を完全に阻止するのではなく、回転リング７及びカム板７０に加えられた回転力が大きい時には回転リング７及びカム板７０の回転を許すものとしてある。すなわち、突起７３の先端部をテーパ状のものとし、回転リング７及びカム板７０に大きな回転力が加われば、キャップ６６の凹部６７，６７間の凸部６８が突起７３の傾斜面を押圧することで突起７３をばね７４に抗して押し戻して凹部６７から退去させるために、ロックが解除されるようにしてある。従って、回転リング７を強く回した時には、ロック手段はクリック感を発生させる部材として機能することになり、また落下させた場合のように、バー６を介してカム板７０及び回転リング７を回転させるような過大な力がブリスル台２に加わった時、この回転を許すことになるために、バー６やカム板７０等が変形したり破損したりすることがないものである。
【００２８】
【発明の効果】
以上のように本発明は、多数本のブリスルが表面から突出しているブリスル台を有しているブラシがヘアードライヤー本体の送風口に連結されているとともに、上記ブラシのブリスル台に形成されている吐出口を通じてヘアードライヤー本体からの風あるいはスチームを吹き出すブラシ付きヘアードライヤーにおいて、上記ブラシのブリスル台をその長手方向断面の外形線が凸曲線をなすものとして形成しているために、温風やスチームはブリスル台内面に沿って流れてブラシ中央部に導かれて吐出されることになり、毛髪を巻き付けることになるブラシ中央部での風やスチームの吐出量が多くなるためにセット性を向上させることができる。
【００２９】
しかも、上記長手方向断面の外形線がなす曲線の曲率が可変であるために、頭部形状の個人差や髪形等に合わせた曲率の曲線をなすものとすることができて、毛髪のカール付けを好みや頭の形状に合わせたものとすることができ、より適切なカール付けを行うことができる。またブリスル台には長手方向に走る複数本の切り溝を周方向において間隔をおいて設けて該切り溝を上記吐出口としているために、円筒状のブリスル台を長手方向に撓ませるだけで、長手方向中程が外側へと膨らんで長手方向断面の外形線が凸曲線をなしているものを得ることができるものであり、このために長手方向断面の外形線が凸曲線となったブリスル台の作成が容易となる。
この時、上記切り溝で形成された吐出口はブラシの長手方向中央においてその開口幅が最大となっていると、毛髪に多くの風やスチームをより均等に且つ多量に当てることができる。
【００３０】
ブリスル台の内部にブラシの両端部をつなぐ筒状部材を配しておくとともに、ヘアードライヤー本体からの風あるいはスチームが送り込まれる内周側とブリスル台が外周に位置する外面側とを連通させて上記風を吐出口に向かわせる開口を上記筒状部材に設けたり、ブリスル台の内部に風向調節用のフィンを設けて、風やスチームの流れの向きを変更するようにした時には、さらに必要とするところに風やスチームを向けることができるために、セット性を更に向上させることができる。
【００３２】
ブリスル台内部に配設されてブリスル台の径を変化させる径調節部材によってブリスル台の長手方向断面の外形線がなす曲線の曲率を変化させる場合は、ブリスル台として長手方向両端部が固定されるとともに伸縮性を有するものとしておくことで、長手方向の全長を一定とした状態のままでブリスル台の長手方向断面の外形線がなす曲線の曲率を変化させることができ、曲率によって長さが変わるものに比して使い勝手がよくなる。
【００３３】
上記の径調節部材として、ブリスル台に接する一端を作用点とし、他端を支点もしくは操作入力が加えられる力点の一方とし、中程を支点もしくは力点の他方としている部材を用いると、操作を加える力点側の小型化を図りつつ、ブリスル台の曲率の変化範囲を大きくすることができる。
径調節部材に操作入力を加える操作部は軸方向の端部に設けておくと、毛髪のセットに操作部が邪魔になることがない。
【００３４】
さらに径調節部材に操作入力を加える操作部が軸回りに回転自在な回転部材であり、該回転部材と径調節部材との間に運動変換部材が介在しているものでは、曲率を変化させる際の操作性を良好に保つことができる。
そして操作部の回転位置を規制するロック手段を備えたものでは、曲率が不用意に変化することがなくて、使い勝手の良いものを得ることができ、該ロック手段が操作部に加わる回転力の大きさに応じてロックを解除するものであると、操作部やブリスル台に過大な力が加わった時の径調節部材の破損を防ぐことができる。
【図面の簡単な説明】
【図１】本発明の実施の形態の一例の断面図である。
【図２】同上の正面図である。
【図３】他例の正面図である。
【図４】別の例の断面図である。
【図５】更に他例を示すもので、(a)(b)は共に正面図である。
【図６】  (a)(b)は共に同上の断面図である。
【図７】他例の正面図である。
【図８】別の例の断面図である。
【図９】さらに別の例を示す断面図である。
【図１０】図９中のＡ−Ａ線断面図である。
【図１１】図９中のＢ−Ｂ線断面図である。
【図１２】同上の径を変化させた場合を示す断面図である。
【図１３】図１２中のＡ−Ａ線断面図である。
【図１４】図１２中のＢ−Ｂ線断面図である。
【図１５】異なる例の正面図である。
【符号の説明】
１  ブラシ
２  ブリスル台
９  ヘアードライヤー
２０  ブリスル
【図１】
0003968844.tif 000002
【図２】
0003968844.tif 000003
【図３】
0003968844.tif 000004
【図４】
0003968844.tif 000005
【図５】
0003968844.tif 000006
【図６】
0003968844.tif 000007
【図７】
0003968844.tif 000008
【図８】
0003968844.tif 000009
【図９】
0003968844.tif 000010
【図１０】
0003968844.tif 000011
【図１１】
0003968844.tif 000012
【図１２】
0003968844.tif 000013
【図１３】
0003968844.tif 000014
【図１４】
0003968844.tif 000015
【図１５】
0003968844.tif 000016